(57)【要約】      （修正有）【課題】複数の撮像エリアごとに信号読み出しが可能で、撮像エリア間の信号電荷の補正が必要なく、かつ、適した画像サイズ及びフレームレートで信号電荷を出力させる。【解決手段】撮像装置１０は、受光量に応じて信号電荷を生成する撮像素子が２次元状に複数配列された撮像領域１１を有する。また、撮像領域１１を水平方向に分割した複数のエリアＤ１〜Ｄ５と、それに接続され、信号電荷を水平方向に転送する水平読み出し部２１ａ〜２１ｅを直線状に並べて形成された水平電荷転送部２１と、水平読み出し部それぞれの信号電荷を出力するための複数のエリア出力アンプＡ１〜Ａ５と、水平電荷転送部２１の全ての信号電荷を出力する全電荷出力アンプＡ０とで構成される。さらに、出力選択回路３１を備えて、所望の信号が出力できるようにした。【選択図】図１
2008301173.tif 000002
【特許請求の範囲】
【請求項１】
受光量に応じて信号電荷を生成する撮像素子が２次元状に複数配列された撮像領域を有し、前記信号電荷を出力する撮像装置であって、
前記撮像領域が水平方向に分割された複数の撮像エリアと、
前記複数の撮像エリアに接続され、前記信号電荷を水平方向に転送する水平読み出し部を直線状に並べて形成された水平電荷転送部と、
前記水平読み出し部の前記信号電荷を出力するように、該水平読み出し部に接続された複数のエリア出力アンプと、
前記水平電荷転送部の全ての信号電荷を出力する全電荷出力アンプとを備え、
前記複数のエリア出力アンプのいずれか、又は、前記全電荷出力アンプを選択して前記信号電荷を出力する出力選択回路と、を備え、
水平読み出し部同士の間に前記信号電荷の転送方向を制御する転送切換手段が形成されていることを特徴とする撮像装置。
【請求項２】
前記転送切換手段が、前記水平電荷転送部の端部に設けられた前記水平読み出し部と前記全電荷出力アンプとの間に形成されていることを特徴とする請求項１に記載の撮像装置。
【請求項３】
前記転送切換手段が、前記水平読み出し部の信号電荷を水平方向に読み出す第１の電極と、前記水平読み出し部に対応する前記エリア出力アンプに読み出す第２の電極とを備え、切換制御信号に応じて前記信号電荷を転送する方向を前記第１の電極及び前記第２の電極のいずれか一方に切り換えることを特徴とする請求項１又は２に記載の撮像装置。
【請求項４】
前記水平読み出し部が水平方向に並べられ、駆動パルスに応じて前記信号電荷を転送駆動する複数の転送電極で構成され、前記切換制御信号が前記駆動パルスと同期するパルス信号であることを特徴とする請求項１から３のいずれか１つに記載の撮像装置。
【請求項５】
受光量に応じて信号電荷を生成する撮像素子が２次元状に複数配列された撮像領域を有し、前記信号電荷を出力する撮像装置の駆動方法であって、
前記撮像領域が水平方向に分割された複数の撮像エリアごとに設けられた水平読み出し部を直線状に並べて形成された水平電荷転送部によって前記信号電荷を転送する際に、
前記水平読み出し部ごとの信号電荷をエリア出力アンプで出力し、又は、前記水平電荷転送部の全ての信号電荷を全電荷出力アンプによって出力する工程と、
前記複数のエリア出力アンプのいずれか、又は、前記全電荷出力アンプを選択して、前記信号電荷を出力する工程と、
水平読み出し部同士の間に設けられた転送切換手段によって前記信号電荷の転送方向を制御する工程を有することを特徴とする撮像装置の駆動方法。
【請求項６】
前記水平電荷転送部の端部に設けられた前記水平読み出し部と前記全電荷出力アンプとの間に設けられた前記転送切換手段によって前記信号電荷の転送方向を制御する工程を有することを特徴とする請求項５に記載の撮像装置の駆動方法。
【請求項７】
前記転送切換手段が、前記水平読み出し部の信号電荷を水平方向に読み出す第１の電極と、前記水平読み出し部に対応する前記エリア出力アンプに読み出す第２の電極とを備え、切換制御信号に応じて前記信号電荷を転送する方向を前記第１の電極及び前記第２の電極のいずれか一方に切り換えることを特徴とする請求項５又は６に記載の撮像装置の駆動方法。
【請求項８】
前記水平読み出し部が水平方向に並べられ、駆動パルスに応じて前記信号電荷を転送駆動する複数の転送電極で構成され、前記切換制御信号が前記駆動パルスと同期するパルス信号であることを特徴とする請求項５から７のいずれか１つに記載の撮像装置の駆動方法。
【発明の詳細な説明】
【技術分野】
【０００１】
本発明は、撮像装置及び撮像装置の駆動方法に関し、特に、撮像領域を構成する複数の撮像エリアごとに信号電荷を読み出して出力可能な撮像装置及び撮像装置の駆動方法の改良に関する。
【背景技術】
【０００２】
撮像装置としては、受光量に応じた信号電荷を発生させる固体撮像素子を単位画素として撮像領域に２次元的に配列した撮像装置が知られている。このような撮像装置は、駆動時に各固体撮像素子から信号電荷を撮像領域の垂直方向に延びた垂直電荷転送部で読み出して垂直方向に転送し、垂直電荷転送部から撮像領域の水平方向に延びた水平電荷転送部に信号電荷を移す。そして、水平電荷転送部に蓄積された信号電荷を水平方向に転送し、出力アンプから信号処理部等に出力する構成である。従来の固体撮像素子を備えた撮像装置としては、例えば、下記特許文献に示すものがある。
【０００３】
通常の撮像時には、全画素から信号電荷を読み出して出力することで高画質を実現するが、一方で、動画撮像時には、単位時間あたりに読み出す画面数を下げることで画像の読み出し速度を上げる処理が行われる。
【０００４】
図５は、下記特許文献１の撮像装置の構成を示す図である。図５に示すように、従来の撮像装置１は、撮像領域に複数の短冊状エリアｄ１〜ｄ５が区画され、短冊状エリアｄ１〜ｄ５には、対応するエリアに配列された撮像素子から垂直電荷転送部３を介して転送された信号電荷を水平転送するための水平電荷転送部２が接続されている。水平電荷転送部２は、短冊状エリアｄ１〜ｄ５に対応して複数の水平読み出し回路２ａ〜２ｅによって構成され、各水平読み出し回路２ａ〜２ｅには、対応するアンプ４ａ〜４ｅが接続されている。撮像装置１は、複数の短冊状のエリアｄ１〜ｄ５の読み出し信号を短冊状のエリアｄ１〜ｄ５単位で、かつ、任意の順番で選択して出力することが可能な出力選択回路６を備えている。駆動時は、短冊状のエリアｄ２〜４の画像データのみを出力する場合には、出力選択回路６によってアンプ４ｂ，４ｃ及び４ｄを選択することで、短冊状のエリアｄ２〜４の信号電荷のみを出力するように制御する。こうすることで、必要な画像サイズで、かつ、適したフレームレートによって信号電荷を出力することを可能としている。また、量産工程における確認作業を行う場合に、高価な特注表示装置を導入することを回避することができる。
【０００５】
【特許文献１】特開２００２−１０１４１号公報
【特許文献２】特開２００６−１５７６２４号公報
【発明の開示】
【発明が解決しようとする課題】
【０００６】
ところで、図５の撮像装置１は、それぞれの短冊状エリアｄ１〜ｄ５の信号電荷をそれぞれ別のアンプ４ａ〜４ｅから読み出す構成であるが、この場合、アンプ４ａ〜４ｅの性能のばらつきによる影響で、表示される画像において短冊状エリアｄ１〜ｄ５同士の境界部分で画質の差が生じてしまうことがある。すると、短冊状エリアｄ１〜ｄ５間の信号電荷を補正処理する必要が生じる点で改善の余地があった。
【０００７】
本発明は、上記事情に鑑みてなされたもので、その目的は、複数の撮像エリアごとに信号読み出しが可能で、撮像エリア間の信号電荷の補正が必要なく、かつ、適した画像サイズ及びフレームレートで信号電荷を出力させることができる撮像装置及び撮像方法を提供することにある。
【課題を解決するための手段】
【０００８】
本発明の上記目的は、下記構成によって達成される。
（１）受光量に応じて信号電荷を生成する撮像素子が２次元状に複数配列された撮像領域を有し、前記信号電荷を出力する撮像装置であって、
前記撮像領域が水平方向に分割された複数の撮像エリアと、
前記複数の撮像エリアに接続され、前記信号電荷を水平方向に転送する水平読み出し部を直線状に並べて形成された水平電荷転送部と、
前記水平読み出し部の前記信号電荷を出力するように、該水平読み出し部に接続された複数のエリア出力アンプと、
前記水平電荷転送部の全ての信号電荷を出力する全電荷出力アンプとを備え、
前記複数のエリア出力アンプのいずれか、又は、前記全電荷出力アンプを選択して前記信号電荷を出力する出力選択回路と、を備え、
水平読み出し部同士の間に前記信号電荷の転送方向を制御する転送切換手段が形成されていることを特徴とする撮像装置。
（２）前記転送切換手段が、前記水平電荷転送部の端部に設けられた前記水平読み出し部と前記全電荷出力アンプとの間に形成されていることを特徴とする上記（１）に記載の撮像装置。
（３）前記転送切換手段が、前記水平読み出し部の信号電荷を水平方向に読み出す第１の電極と、前記水平読み出し部に対応する前記エリア出力アンプに読み出す第２の電極とを備え、切換制御信号に応じて前記信号電荷を転送する方向を前記第１の電極及び前記第２の電極のいずれか一方に切り換えることを特徴とする上記（１）又は（２）に記載の撮像装置。
（４）前記水平読み出し部が水平方向に並べられ、駆動パルスに応じて前記信号電荷を転送駆動する複数の転送電極で構成され、前記切換制御信号が前記駆動パルスと同期するパルス信号であることを特徴とする上記（１）から（３）のいずれか１つに記載の撮像装置。
（５）受光量に応じて信号電荷を生成する撮像素子が２次元状に複数配列された撮像領域を有し、前記信号電荷を出力する撮像装置の駆動方法であって、
前記撮像領域が水平方向に分割された複数の撮像エリアごとに設けられた水平読み出し部を直線状に並べて形成された水平電荷転送部によって前記信号電荷を転送する際に、
前記水平読み出し部ごとの信号電荷をエリア出力アンプで出力し、又は、前記水平電荷転送部の全ての信号電荷を全電荷出力アンプによって出力する工程と、
前記複数のエリア出力アンプのいずれか、又は、前記全電荷出力アンプを選択して、前記信号電荷を出力する工程と、
水平読み出し部同士の間に設けられた転送切換手段によって前記信号電荷の転送方向を制御する工程を有することを特徴とする撮像装置の駆動方法。
（６）前記水平電荷転送部の端部に設けられた前記水平読み出し部と前記全電荷出力アンプとの間に設けられた前記転送切換手段によって前記信号電荷の転送方向を制御する工程を有することを特徴とする上記（５）に記載の撮像装置の駆動方法。
（７）前記転送切換手段が、前記水平読み出し部の信号電荷を水平方向に読み出す第１の電極と、前記水平読み出し部に対応する前記エリア出力アンプに読み出す第２の電極とを備え、切換制御信号に応じて前記信号電荷を転送する方向を前記第１の電極及び前記第２の電極のいずれか一方に切り換えることを特徴とする上記（５）又は（６）に記載の撮像装置の駆動方法。
（８）前記水平読み出し部が水平方向に並べられ、駆動パルスに応じて前記信号電荷を転送駆動する複数の転送電極で構成され、前記切換制御信号が前記駆動パルスと同期するパルス信号であることを特徴とする上記（５）から（７）のいずれか１つに記載の撮像装置の駆動方法。
【０００９】
本発明の撮像装置は、駆動時に撮像領域で生成された信号電荷を、複数の撮像エリアごとに対応した水平読み出し部で水平転送する際に、出力選択回路によって水平読み出し部ごとに設けられたエリア出力アンプを選択し、所望の撮像エリアの信号電荷のみを出力することができる。ここで、所望のエリア出力アンプを選択することで、例えば、画像データを取得したい撮像エリアの信号電荷を選択した同じエリア出力アンプから出力することもできる。こうすることで、動画撮像時のように処理速度を低下させないように適したフレームレートで撮像処理を実行でき、アンプの性能のばらつきに起因した撮像エリア間での画質の差が生じることを回避することができる。
また、水平電荷転送部の信号電荷を出力する全電荷出力アンプを選択することで、撮像領域全体の信号電荷を同一のアンプから読み出すことができるため、通常の撮像時にいて高い画質を得ることができる。このように、本発明の撮像装置は、撮像の状態に応じて、撮影者が撮像データを取得したい範囲に応じて、出力選択回路によって撮像エリアを選択することができるため、適した画像サイズ及びフレームレートで出力することができる。さらに、アンプによるばらつきを考慮する必要がなく、撮像エリアごとの信号電荷に対して補正処理を行う必要がない。
【発明の効果】
【００１０】
本発明によれば、複数の撮像エリアごとに信号読み出しが可能で、撮像エリア間の信号電荷の補正が必要なく、かつ、適した画像サイズ及びフレームレートで信号電荷を出力させることができる撮像装置及び撮像方法を提供できる。
【発明を実施するための最良の形態】
【００１１】
以下、本発明の実施形態を図面に基づいて詳しく説明する。
図１は、本発明にかかる撮像装置の構成を示す図である。撮像装置１０は、撮像領域１１に、単位画素となる（ＣＣＤ）型の撮像素子を２次元状に複数配列させている。撮像素子は、フォトダイオードなどの光電変換部を有し、入射光の受光量に応じて光電変換により信号電荷を発生する構成である。
【００１２】
撮像装置１０は、垂直読み出し回路２３を備えている。垂直読み出し回路２３は、図示しないカウンタ回路とスキャニング回路とを有している。電荷転送時には、カウンタ回路によって算出されたカウント値に応じてスキャニング回路から出力されるスキャニング信号に基づいて、各撮像素子ごとに設けられた転送用スイッチを同じラインごとにオン状態及びオフ状態を切り換えることで、ラインが垂直方向に順次に推移する。そして、同一ラインの信号電荷が転送用スイッチを介して水平電荷転送部に入力される。
【００１３】
撮像素子は、垂直方向及び水平方向に対して所定の間隔で複数配置され、水平方向に配列された撮像素子同士の間を通過し、撮像領域に対して垂直方向に延びる図示しない垂直電荷転送部（ＶＣＣＤ）が設けられている。垂直電荷転送部の垂直方向に対して転送する側の端部には水平電荷転送部２１が接続されている。垂直電荷転送部は、垂直電荷転送電極を垂直方向に向かって直列に複数配列した構成であり、電荷転送時には、駆動パルスを印加することで、信号電荷を垂直方向に転送するとともに、水平電荷転送部２１へ転送する。
【００１４】
撮像領域１１は、水平方向に分割された複数の撮像エリアＤ１〜Ｄ５から構成されている。これら複数の撮像エリアＤ１〜Ｄ５はそれぞれ、水平方向及び垂直方向に対して配列された撮像素子の個数が略等しく、つまり、撮像領域１１における面積が略等しくなるように形成されている。本実施形態では、撮像領域１１が５つの撮像エリアＤ１〜Ｄ５を有する構成としたが、撮像エリアＤ１〜Ｄ５の数は特に限定されない。
【００１５】
水平電荷転送部２１は、撮像領域の水平方向に対して平行な直線状に並べられた複数の複数の水平読み出し部２１ａ〜２１ｅから構成されている。水平読み出し部２１ａ〜２１ｅはそれぞれ、撮像エリアＤ１〜Ｄ５のうち対応するものに接続されている。本実施形態では、撮像エリアＤ１に水平読み出し部２１ａが接続され、撮像エリアＤ２に水平読み出し部２１ｂが接続され、撮像エリアＤ３に水平読み出し部２１ｃが接続され、撮像エリアＤ４に水平読み出し部２１ｄが接続され、撮像エリアＤ５に水平読み出し部２１ｅが接続されている。
【００１６】
水平読み出し部２１ａ〜２１ｅのそれぞれには、エリア出力アンプＡ１〜Ａ５が接続されている。また、水平電荷転送部２１の転送方向に向かって最端部（図１では左端部）に位置する水平読み出し部２１ａには、水平電荷転送部２１を構成する水平読み出し部２１ａ〜２１ｅの全ての信号電荷を出力する全電荷出力アンプＡ０が設けられている。
【００１７】
撮像装置１０は、駆動時に、のエリア出力アンプＡ１〜Ａ５及び全電荷出力アンプＡ０のうち所望のアンプを選択し、選択したアンプからのみ信号電荷を出力させる制御を行う出力選択回路３１が設けられている。出力選択回路３１には、選択したアンプからのみ信号電荷を出力する出力部３２が設けられている。
【００１８】
本実施形態の撮像装置１０は、（１）通常撮像時のように、撮像領域１１の全域において生成された信号電荷の全部を出力することで、画像の質を最大限高めることができるモードと、（２）撮像領域１１のうち、一部の領域で生成された信号電荷を所定のアンプから出力することで、フレームレートを優先した処理を行うことができるモードを有している。撮像装置１０は、撮影者の要望により又は自動で、上記（１）及び（２）のモードのうち設定されたいずれかのモードの撮像状況に応じて、複数の撮像エリアＡ１〜Ａ５のうち所定のエリアの信号電荷を、所定のアンプから出力することで、画像を生成する構成である。
【００１９】
具体的には、撮像装置１０には、隣り合う水平読み出し部２１ａ〜２１ｅ同士の間に信号電荷の転送方向を制御する転送切換手段が形成されている。また、本実施形態の撮像装置１０は、転送切換手段が、水平電荷転送部２１の端部に設けられた水平読み出し部２１ａと全電荷出力アンプＡ０との間にも形成されている構成である。
【００２０】
図２及び図３は、撮像装置の転送切替手段の構成及び動作状態を説明する図である。図２は、水平読み出し部同士の間に設けた転送切換手段を示し、図３は、水平電荷転送部の端の水平読み出し部に設けられた転送切換手段を示している。なお、図２では、撮像エリアＤ２と撮像エリアＤ３との間の転送切換手段の構成とその動作状態を示したが、撮像エリアＤ１と撮像エリアＤ２との間、撮像エリアＤ３と撮像エリアＤ４との間、撮像エリアＤ４と撮像エリアＤ５との間についても同様とする。  
【００２１】
転送切換手段は、水平読み出し部２１ａ〜２１ｅを構成する転送電極Ｈ１〜Ｈ８の一部及び追加された電極を用いており、一対の電極ＨＳ，ＣＧによって構成されている。電極ＨＳは、水平読み出し部２１ａ〜２１ｅの信号電荷を水平方向に読み出す第１の電極として機能し、電極ＣＧは、水平読み出し部２１ａ〜２１ｅに対応するエリア出力アンプＡ１〜Ａ５に読み出す第２の電極として機能する。電荷転送時に、一対の電極ＨＳ，ＣＧに切換制御信号が入力され、該切換制御信号に応じて信号電荷を転送する方向を電極ＨＳ及び電極ＣＧのいずれか一方に切り換える。
【００２２】
図４は、水平読み出し部に入力される駆動信号と転送切換手段に入力される切換制御信号を示す図である。水平電荷転送電極Ｈ１，Ｈ３，Ｈ５，Ｈ７と、水平電荷転送電極Ｈ２，Ｈ４，Ｈ６，Ｈ８とには、互いに同期し、かつ、Ｈレベル及びＬレベルとが反対の駆動パルスが印加される。また、図４に示すように、ＨＳ及びＣＧで示す切換制御信号は、水平読み出し部を構成する水平電荷転送電極Ｈ１〜Ｈ８に入力される駆動パルスと同期するパルス信号である。
【００２３】
例えば、撮像エリアＤ３の信号電荷を、該撮像エリアＤ３に対応した水平読み出し部２１ｃから隣の水平読み出し部２１ｂ側へ転送する場合には、図４（ａ）に示すように、一方の電極ＨＳに水平電荷転送電極Ｈ２，Ｈ４，Ｈ６，Ｈ８に印加する駆動パルスと同相のパルス信号を印加し、水平読み出し部２１ｃから水平読み出し部２１ｂへ向かって水平方向（矢印ｔ１）に転送する。また、同時に、他方の電極ＣＧには、パルス信号をオフ状態にすることで、水平読み出し部２１ｃの信号電荷が電極ＣＧに読み出されることがない。
【００２４】
一方、撮像エリアＤ３の信号電荷を、水平読み出し部２１ｃに接続されたエリア出力アンプＡ３から出力させる場合には、図４（ｂ）に示すように、一方の電極ＣＧに水平電荷転送電極Ｈ２，Ｈ４，Ｈ６，Ｈ８に印加する駆動パルスと同相のパルス信号を印加し、水平読み出し部２１ｃから電極ＣＧへ読み出し（矢印ｔ２）、該電極ＣＧに接続されたエリア出力アンプＡ３から出力する。また、同時に、他方の電極ＨＳには、パルス信号をオフ状態にすることで、水平読み出し部２１ｃの信号電荷が隣り合う水平読み出し部２１ｂ側に転送されることがない。
【００２５】
図３に示すように、撮像エリアＤ１〜Ｄ５の全部又は一部を全電荷出力アンプＡ０から出力することもできる。この場合、水平読み出し部２１ａの転送方向の下流側に設けられた一対の電極ＨＳ及びＣＧに所定の切換制御信号を印加することで信号電荷の転送方向を切り換えることができる。例えば、撮像エリアＤ１〜Ｄ５の信号電荷を全て全電荷出力アンプＡ０から読み出す場合には、図４（ａ）に示すように、一方の電極ＨＳに水平電荷転送電極Ｈ２，Ｈ４，Ｈ６，Ｈ８に印加する駆動パルスと同相のパルス信号を印加し、電極ＨＳを通して、矢印ｔ１の方向に全電荷出力アンプＡ０から信号電荷を出力する。また、同時に、他方の電極ＣＧに印加するパルス信号をオフ状態にすることで、水平読み出し部２１ａに接続された電極ＣＧに読み出されることがない。
【００２６】
なお、全電荷出力アンプＡ０を設けずに、水平読み出し部２１ａに接続されたエリア出力アンプＡ１を複数の撮像エリアＤ１〜Ｄ５の全ての信号電荷を出力させる全電荷出力アンプとした構成とすることもできる。
【００２７】
撮像エリアＤ１〜Ｄ５の一部又は全部をエリア出力アンプＡ１から出力する場合には、図４（ｂ）に示すように、一方の電極ＣＧに水平電荷転送電極Ｈ２，Ｈ４，Ｈ６，Ｈ８に印加する駆動パルスと同相のパルス信号を印加し、水平読み出し部２１ａから電極ＣＧへ読み出し（矢印ｔ２）、該電極ＣＧに接続されたエリア出力アンプＡ１から出力する。また、同時に、他方の電極ＨＳには、パルス信号をオフ状態にすることで、信号電荷が水平読み出し部２１ａから全電荷出力アンプＡ０へ出力されることがない。
【００２８】
本発明の撮像装置１０は、駆動時に撮像領域１１で生成された信号電荷を、複数の撮像エリアＤ１〜Ｄ５ごとに所望の水平読み出し部２１ａ〜２１ｅで水平転送する際に、出力選択回路３１によって水平読み出し部２１ａ〜２１ｅごとに設けられたエリア出力アンプＡ１〜Ａ５を選択し、所望の撮像エリアＤ１〜Ｄ５の信号電荷のみを出力することができる。ここで、所望のエリア出力アンプＡ１〜Ａ５を選択することで、例えば、画像データを取得したい撮像エリアの信号電荷を選択した同じエリア出力アンプから出力することもできる。例えば、撮像エリアＤ２〜Ｄ４で生成された信号電荷を、エリア出力アンプＡ２のみから出力することができる。こうすることで、動画撮像時のように処理速度を低下させないように適したフレームレートで撮像処理を実行でき、アンプの性能のばらつきに起因した撮像エリア間での画質の差が生じることを回避することができる。また、画素数が大きい撮像素子の量産工程において、撮像領域全てを一度に表示するための表示装置を特注する必要がなく、コストの増加を防止することができる。
また、水平電荷転送部２１の信号電荷を出力する全電荷出力アンプＡ０を選択することで、撮像領域１１全体の信号電荷を同一のアンプから読み出すことができるため、通常の撮像時にいて高い画質を得ることができる。このように、本発明の撮像装置１０は、撮像の状態に応じて、撮影者が撮像データを取得したい範囲に応じて、出力選択回路３１によって信号電荷を出力するアンプＡ０〜Ａ５を選択することができるため、適した画像サイズ及びフレームレートで出力することができる。さらに、アンプによるばらつきを考慮する必要がなく、撮像エリアＤ１〜Ｄ５ごとの信号電荷に対して補正処理を行う必要がない。
【図面の簡単な説明】
【００２９】
【図１】撮像装置の構成を示す図である。
【図２】撮像装置の転送切替手段の構成及び動作状態を説明する図である。
【図３】撮像装置の転送切替手段の構成及び動作状態を説明する図である。
【図４】水平読み出し部に入力される駆動信号と転送切換手段に入力される切換制御信号を示す図である。
【図５】従来の撮像装置の構成を示す図である。
【符号の説明】
【００３０】
１０    撮像装置
１１    撮像領域
２１    水平電荷転送部
２１ａ，２１ｂ，２１ｃ，２１ｄ，２１ｅ    水平読み出し部
３１    出力選択回路
Ａ０    全電荷出力アンプ
Ａ１，Ａ２，Ａ３，Ａ４，Ａ５    エリア出力アンプ
Ｄ１，Ｄ２，Ｄ３，Ｄ４，Ｄ５    撮像エリア
ＨＳ，ＣＧ    電極（転送切換手段）
【図１】
2008301173.tif 000003
【図２】
2008301173.tif 000004
【図３】
2008301173.tif 000005
【図４】
2008301173.tif 000006
【図５】
2008301173.tif 000007